(57)【要約】【課題】通気孔を備えた鼻隠し化粧板において、軒先から吹き込んだ雨水が鼻隠し化粧板の前面に付着し伝い流れる際に、通気孔から換気室に雨水が浸入することを確実に防止する。【解決手段】鼻隠し４の前面４１を覆う前面被覆部１と、鼻隠し１の底面４２を覆うとともにその下方に中空状の換気室２０を形成する底面被覆部２からなる鼻隠し化粧板Ａにおいて、換気室２０の前壁２１に複数の通気孔２１ａを設けるとともに通気孔２１ａの前方には前面被覆部１から垂下した水切り片１３を設け、換気室２０内には遮蔽板３を突設させて換気室２０内を前後の空間部に仕切る。【選択図】図１
2010150879.tif 000002
【特許請求の範囲】
【請求項１】
鼻隠し（４）の前面（４１）を覆う前面被覆部（１）と、鼻隠し（４）の底面（４２）を覆うとともにその下方に中空状の換気室（２０）を形成する底面被覆部（２）からなる鼻隠し化粧板であって、前記換気室（２０）の前壁（２１）に複数の通気孔（２１ａ）が設けられているとともに、通気孔（２１ａ）の前方には前記前面被覆部（１）から垂下した水切り片（１３）が設けられた構成を有することを特徴とする鼻隠し化粧板。
【請求項２】
前面被覆部（１）から換気室（２０）内に遮蔽板（３）が垂設されて当該遮蔽板（３）で換気室（２０）内が前後の空間部に仕切られているとともに遮蔽板（３）の下方に通風路が形成され、この通風路に面した遮蔽板（３）の裏側に加熱発泡材（Ｂ）が設置されたことを特徴とする請求項１に記載の鼻隠し化粧板。
【発明の詳細な説明】
【技術分野】
【０００１】
本発明は、屋根裏の空間を換気するための通気孔を備えた鼻隠し化粧板に関する。
【背景技術】
【０００２】
軒先に張り出した垂木の端部に取り付ける鼻隠しによって屋根裏への外気の流通が遮断されることを防止するため、鼻隠しの前面と底面を化粧板で一体的に覆うとともに、この化粧板の下側に換気室を形成し、換気室の底壁に形成した通気孔から屋根裏へ外気が流入するようにし、屋根裏空間の換気が行えるようにした軒先の構造が知られている（例えば特許文献１参照）。
しかし、この構造では、鼻隠しが化粧板で覆われているものの、軒先を下から見上げたときに換気室底壁に形成された通気孔が目立ち、軒先外観の見栄えが悪くなるというという問題があった。
【０００３】
そこで、軒先を見上げたときに通気孔が目に付かないように、換気室の建屋側に位置する後壁に通気孔を形成した鼻隠し化粧板が提案されている（例えば特許文献２参照）。
しかし、この鼻隠し化粧板では、通気孔が建屋の外壁に面して形成してあるため、風雨が強いと建屋の外壁に沿って吹き上げられた雨水が軒天井の下面を伝って通気孔から換気室内に浸入し易く、屋根裏まで雨水が入り込む虞があった。
【０００４】
【特許文献１】特開平７−２５９２８２号公報
【特許文献２】特開平１０−９６３１４号公報
【発明の開示】
【発明が解決しようとする課題】
【０００５】
前記従来の問題点を解決するため、本出願人により、図４に示されるような、鼻隠し９６の前面と底面を一体的に覆うとともに、その下方に中空状の換気室９２を設け、この換気室９２の前壁９３に複数の通気孔９３ａを形成してなる鼻隠し化粧板９１が提案されている。この鼻隠し化粧板９１によれば、通気孔９３ａが換気室９２の前壁９３に設けてあるので、軒先を見上げたときに通気孔９３ａが目に付くことはなく、また、建屋の外壁に沿って吹き上げられた雨水が軒天井の下面を伝って通気孔９３ａ内に浸入することもない。
然し乍ら、軒先側に面した換気室９２の前壁９３に通気孔９３ａが設けてあると、軒先から吹き込んだ雨水が鼻隠し化粧板９１の前面９５に付着し、当該前面９５を伝い落ちると、庇状の張出部９４の下側を伝い換気室９２の前壁９３側に回り込んで通気孔９３ａから換気室９２内に浸入したり、張出部９４の先端から雨水が落下する際に通気孔９３ａから換気室９２内に流入する風に引き込まれて換気室９２内に入り込み、そのまま屋根裏へと吹き込んだりするという新たな問題が提起されるに至った。
【０００６】
本発明はかかる問題点に鑑み、屋根裏空間を換気するための通気孔を備えた鼻隠し化粧板において、軒先から吹き込んだ雨水が鼻隠し化粧板の前面を伝い流れる際に、通気孔から換気室に雨水が浸入することを確実に防止し、また、火災時には火炎や熱風が屋根裏に入り込むことを防止できるように構成することを課題とする。
【課題を解決するための手段】
【０００７】
前記課題を解決するため本発明の鼻隠し化粧板は、鼻隠しの前面を覆う前面被覆部と、鼻隠しの底面を覆うとともにその下方に中空状の換気室を形成する底面被覆部からなる鼻隠し化粧板であって、前記換気室の前壁に複数の通気孔が設けられているとともに、通気孔の前方には前記前面被覆部から垂下した水切り片が設けられた構成を有することを特徴とする。
【０００８】
これによれば、軒先に吹き込んだ雨水は鼻隠し化粧板の前面被覆部に付着してその表面を伝って流れ落ち、前面被覆部から垂下させてなる水切り片から軒下へと落下する。換気室の前方に水切り片を突出させてあるので、前面被覆部の表面を伝って流れ落ちる雨水は水切り片で確実に水切りされ、換気室の前壁側に回り込んだり通気孔から換気室内に流入する風に引き込まれて換気室内に入り込んだりするようなことはなく、通気孔から換気室内への雨水の浸入を確実に防止することができる。
また、通気孔を換気室の前壁に設けてあるので、軒先を下から見上げたときに通気孔が目に付くことはなく、鼻隠しの前面及び底面が鼻隠し化粧板で一体的に覆われることと相俟って、軒先下側の外観が、すっきりとした状態で見栄えよく処理される。
【０００９】
前記構成の鼻隠し化粧板において、前面被覆部から換気室内に遮蔽板が垂設されて当該遮蔽板で換気室内が前後の空間部に仕切られているとともに遮蔽板の下方に通風路が形成され、この通風路に面した遮蔽板の裏側に加熱発泡材を設置した構成とすることが好ましい。
【００１０】
これによれば、換気室内が遮蔽板により前後の空間部に仕切られており、通気孔から換気室内に進入した外気は遮蔽板に衝突して一旦その勢いが弱められ、遮蔽板下側に確保された通風路を通って屋根裏へと流入する。従って、風雨が強く、雨水を含む外気が通気孔から換気室内に入り込んだとしても、一旦遮蔽板に当たって、流入した外気が屋根裏まで一気に入り込むようなことはない。また、遮蔽板の裏側に加熱発泡材を設置してあるので、通気孔から換気室内に入り込んだ雨水が加熱発泡材を濡らすこともない。火災発生時に火炎や熱風が通気孔から換気室内に進入したときには、加熱発泡材が膨張して遮蔽板の下方の通風路から屋根裏へと至る通風経路を完全に遮断し、火炎や熱風が換気室内から屋根裏へ入り込むことを確実に防止することができる。なお、加熱発泡材は遮蔽板の裏面に直接装着することができるが、遮蔽板と対向する位置の、換気室の後壁に設置しても同様の効果を得ることができる。
【発明の効果】
【００１１】
本発明の鼻隠し化粧板は、換気室の前壁に複数の通気孔を設け、この通気孔の前方に前面被覆部から垂下する水切り片を設けたので、軒先に吹き込んで前面被覆部に付着し表面を伝い流れる雨水は前記水切り片から軒下へと落下し、雨水が通気孔から換気室内へと浸入することを防止することができる。また、換気室内を遮蔽板で前後の空間部に二分するとともに、遮蔽板の下方に通風路を形成し、遮蔽板の裏側に加熱発泡材を設置することにより、火災の際に加熱発泡材が膨張して遮蔽板の裏側の通風経路が完全遮断せしめられるため、火炎や熱風が換気室を通って屋根裏へと入り込むことを防止することができる。
【発明を実施するための最良の形態】
【００１２】
本発明の好適な一実施形態を図面に基づいて説明する。
図１は本発明の一実施形態の鼻隠し化粧板を取り付けた状態の鼻隠しの断面図、図２は図１の鼻隠し化粧板の通気孔を示す拡大斜視図、図３は図１の鼻隠し化粧板を鼻隠しに取り付けて屋根の軒先を構成した状態を示す断面図であり、各図において符号Ａは鼻隠し化粧板、Ｂは加熱発泡材をそれぞれ示している。
【００１３】
図示した形態の鼻隠し化粧板Ａは、鼻隠し４の前面４１を覆う前面被覆部１と、鼻隠し４の底面４２を覆うとともにその下方に中空状の換気室２０を形成する底面被覆部２と、前記換気室２０内に垂設される遮蔽板３とで構成されている。これらの部材は、例えば表面を塩化ビニル樹脂で覆うなどの耐蝕加工が施された被覆鋼板や、耐蝕性を有する材質のもの、或いは亜鉛鋼板などの耐火性を有する材質のものからなる長尺の鋼板をベンダーなどで長手方向に沿って折り曲げて形成されている。
【００１４】
より詳しくは、前面被覆部１は鼻隠し４の前面４１を覆う垂直板１１を有し、その下方に軒先前方へ突出する庇状の突出部１２が形成され、この突出部１２の先端に下方に折れて垂下した水切り片１３を一体に設けてある。垂直板１１の上端は、当該垂直板１１に対して軒先前方へ略直角に折れ曲がり、かつ端部を斜め下方へ屈曲させてあり、その先端部１４は、後述する水切り６の折返部６１と係合するようになっている。
【００１５】
底面被覆部２は断面略Ｕ字状に折曲形成されているとともに、前壁２１、底壁２２及び後壁２３によって中空状の空間である換気室２０が形成されている。換気室２０の後壁２３には軒天井７の端部を支持する段部２３１が形成され（図３参照）、当該段部２３１から上方へ後壁２３を折り曲げ、さらに後壁２３に後方斜め上方へ折れた後端支持部２４を延設させてある。また、換気室２０の前壁２１の上端には、前方斜め下方へ突出した連結片２５を設けてある。
【００１６】
また、換気室２０の前壁２１には、その長手方向、すなわち鼻隠し４に取り付けた状態の軒先（水平）方向に沿って、所定の間隔で複数の通気孔２１ａを設けてある。各通気孔２１ａは、図２に示されるように、前壁２１の表面を上下縁が前壁２１に結合し、かつ左右縁を分断して換気室３側へ陥没させた打ち抜き加工によって形成されており、陥没した屈曲板２１１の両側と前壁２１表面との隙間が通気孔２１ａとなっている。
【００１７】
遮蔽板３は、その上端に前方斜め下方へ傾斜した連結片３１を有し、後述するように連結片３１を前面被覆部１の突出部１２と底面被覆部２の連結片２５との間に挟んで固定した状態で、当該遮蔽板３が前面被覆部１の裏側から換気室２０内に垂下して、換気室２０の内部を前後の空間部に二分するとともに、その下方に通風路を確保して、前記二分した換気室２０内の空間を連通させるように設けてある。また、遮蔽板３の下端部には、裏側へ鍵状に折り曲げた係止片３２を設けてあり、この係止片３２に加熱発泡材Ｂを支持固定されてある。
【００１８】
これらの部材からなる鼻隠し化粧板Ａは、前面被覆部１の突出部１２と底面被覆部２の連結片２５とを、遮蔽板３の連結片３１を間に挟んで重ね合わせ、重合部をリベットやビスなどを用いて、或いは溶接により一体に固着することにより構成される。
鼻隠し化粧板Ａの取り付けは、図１に示されるように、前面４１が鉛直面に略沿うように形成されているとともに底面４２が垂木５の底面５１と略同角度をなして傾斜するように形成され、かつ底面４２が垂木５の底面５１より上方に位置するように設置された鼻隠し４に対し、前面被覆部１の垂直板１１を鼻隠し４の前面４１に当てがい、底面被覆部２を鼻隠し４の底面４２の下方に配置するとともに、底面被覆部２の後端支持部２４を垂木５の底面５１に接合させる。そして、前記前面４１を覆う前面被覆部１の垂直板１１にビスや釘などの支持金具Ｐを打ち込んで固定し、また、前記底面５１に接合した底面被覆部２の後端支持部２４にも支持金具Ｐを打ち込んで固定することにより鼻隠し４への取り付けが完了する。
【００１９】
そして、図３に示されるように、鼻隠し化粧板Ａの前面被覆部１に軒樋吊具８を取り付けて軒樋９を支持させ、前面被覆部１の先端部１４には野地板に固定される水切り６の折返部６１を係合させ、野地板の上面にはルーフィングを覆い被せて防水した上で屋根材を取り付け、また、底面被覆部２の段部２３１に軒天井７の端部を載せて、軒天井７を軒下に取り付けることにより軒先の廻りの造作が完了する。
【００２０】
本発明の鼻隠し化粧板Ａによれば、底面被覆部２の換気室２０が屋根裏の空間と通じ、換気室２０の前壁２１に形成した通気孔２１ａから外気を取り入れて、屋根裏の空間を十分に換気することができる。
通気孔２１ａの前方には前面被覆部１から垂下した水切り片１３を設けてあるので、前面被覆部１に付着し表面を伝い流れる雨水は水切り片１３から軒下へと落下し、雨水が通気孔２１ａから換気室２０内へと浸入する虞はない。火災の際には、加熱発泡材Ｂがその体積を膨張させて換気室２０と屋根裏の空間との通風経路を遮断するので、通気孔２１ａから外気が屋根裏の空間部へと流入することはなく、火炎や熱風が換気室２０を通って屋根裏へと入り込むことはなく、延焼を抑止することが可能である。
【００２１】
なお、図示した鼻隠し化粧板Ａの形状は一例であり、家屋の軒先の構成や形状などに応じて適宜な形状に形成することが可能である。
また、遮蔽板３の係止片３２に加熱発泡材Ｂを支持固定する代わりに、換気室２０内で遮蔽板３と対向する位置の後壁２３側に加熱発泡材Ｂを支持固定させてもよい。加熱発泡材Ｂとしては、グラファイト系熱膨張材（インツメックス社製）、ブチル系やエポキシ系の熱膨張材が好適であるが、これ以外にも火災時に火炎や熱風を受けたとき体積膨張して遮蔽板３の裏側の通風経路を遮断する機能を有するものであれば、いかなるものでも使用可能である。
【図面の簡単な説明】
【００２２】
【図１】本発明の一実施形態の鼻隠し化粧板を取り付けた状態の鼻隠しの断面図である。
【図２】図１の鼻隠し化粧板の通気孔を示す拡大斜視図である。
【図３】図１の鼻隠し化粧板を鼻隠しに取り付けて屋根の軒先を構成した状態を示す断面図である。
【図４】従来の鼻隠し化粧板を取り付けた屋根の軒先の断面図である。
【符号の説明】
【００２３】
Ａ  鼻隠し化粧板、Ｂ  加熱発泡材、１  前面被覆部、１１  垂直板、１２  突出部、１３  水切り片、１４  先端部、２  底面被覆部、２０  換気室、２１  前壁、２２  底壁、２３  後壁、２４  後端支持部、２５  連結片、３  遮蔽板、３１  連結片、３２  係止片、４  鼻隠し、４１  前面、４２  底面、５  垂木、５１  底面、６  水切り、６１  折返部、７  軒天井、８  軒樋吊具、９  軒樋
【図１】
2010150879.tif 000003
【図２】
2010150879.tif 000004
【図３】
2010150879.tif 000005
【図４】
2010150879.tif 000006